(57)【要約】【課題】  効率的に時間や計数値を受付ける。【解決手段】  記録メディア再生装置付デジタルチューナ１は、ＤＶＤディスクから情報を読取るＤＶＤ再生装置２と、時間の最大値を記憶するメモリ６と、時間の指定値を受付けるリモコン受信部９と、リモコン受信部９が時間の指定値を１桁分受付けるたびに、指定値が時間の最大値を上回るか否かを判断し、指定値は時間の最大値を上回ると判断された場合、時間の指定値のうちその判断以前に受付けた１桁分を再度受付けるように、リモコン受信部９を制御する制御部１０と、制御部１０が指定値は時間の最大値を上回ると判断した場合、時間の指定の指定の１桁分が指定の禁止の対象である旨を、指定の禁止の対象である一部を白地に黒の点滅する文字を含む形態とすることにより、出力する映像出力部７およびＯＳＤ５１とを含む。【選択図】        図１
2006004542.tif 000002
【特許請求の範囲】
【請求項１】
ＤＶＤディスクから、時間に対応する任意の情報および前記任意の情報が対応する時間の最大値を読取るための読取り手段と、
前記読取り手段が読取った、前記時間の最大値を記憶するための記憶手段と、
時間の指定値を受付けるための受付手段と、
前記受付手段が時間の指定値を１桁分受付けるたびに、前記指定値が前記時間の最大値を上回るか否かを判断するための判断手段と、
前記判断手段が前記指定値は前記時間の最大値を上回ると判断した場合、前記時間の指定値の１桁分が指定の禁止の対象である旨を、前記指定の禁止の対象である１桁分を白地に黒の点滅する文字とすることにより、出力するための第１の出力手段と、
前記判断手段が前記指定値は前記時間の最大値を上回ると判断した場合、前記時間の指定値のうち前記判断手段が前記指定値は前記時間の最大値を上回ると判断する直前に受付けた１桁分を再度受付けるように、前記受付手段を制御するための第１の制御手段と、
前記ＤＶＤディスクから、前記受付手段が受付けた時間の指定値に対応する情報を読取るように、前記読取り手段を制御するための第２の制御手段と、
前記読取り手段が読取った情報を出力するための第２の出力手段とを含む、ＤＶＤ再生装置。
【請求項２】
予め任意の値を記憶するための記憶手段と、
計数値の指定を受付けるための受付手段と、
前記受付手段が計数値の指定を受付けている間に、前記受付手段が受付ける計数値が前記任意の値を上回るか否かを判断するための判断手段と、
前記判断手段が前記計数値は前記任意の値を上回ると判断した場合、前記計数値のうち、少なくとも一部を再度受付けるように、前記受付手段を制御するための制御手段とを含む、数値受付け装置。
【請求項３】
前記判断手段は、前記受付手段が計数値の指定の一部を受付けるたびに、前記受付手段が受付ける計数値が前記任意の値を上回るか否かを判断するための手段を含み、
前記制御手段は、前記計数値のうち、前記判断手段が前記計数値は前記任意の値を上回ると判断する直前に受付けた前記一部を再度受付けるように、前記受付手段を制御するための手段を含む、請求項２に記載の数値受付け装置。
【請求項４】
前記一部は、前記計数値の１桁分の一部である、請求項３に記載の数値受付け装置。
【請求項５】
前記計数値は、時間を表わす値を含む、請求項２に記載の数値受付け装置。
【請求項６】
前記数値受付け装置は、前記判断手段が前記計数値は前記任意の値を上回ると判断した場合、前記計数値の指定の一部が指定の禁止の対象である旨を出力するための第１の出力手段をさらに含む、請求項３に記載の数値受付け装置。
【請求項７】
前記第１の出力手段は、前記指定の禁止の対象である一部を指定の禁止の対象である一部以外の一部とは異なる形態で出力することにより、前記指定の禁止の対象である旨を出力するための手段を含む、請求項６に記載の数値受付け装置。
【請求項８】
前記指定の禁止の対象である一部以外の一部とは異なる形態は、白地に黒の点滅する文字を含む形態である、請求項７に記載の数値受付け装置。
【発明の詳細な説明】
【技術分野】
【０００１】
本発明は、ＤＶＤ（Digital Video Disc）再生装置および数値受付け装置に関し、特に、時間や計数値の指定を受付けるＤＶＤ再生装置および数値受付け装置に関する。
【背景技術】
【０００２】
一般に、タイムサーチという操作が知られている。これは、ＤＶＤ再生装置（ハードディスクレコーダ、またはビデオデッキなどといった、映像を再生する装置であってもよい）の映像を表示させる機能の一種である。「タイムサーチ」という名称は、映像を指定するために、時間の指定値を受付けることに由来している。このとき受付けられる時間は、全映像を順次表示させた場合、指定された映像が表示されるまでに費やされる時間（再生時間）である。
【０００３】
タイムサーチの際、ユーザは誤った時間を指定することがある。誤った時間などが指定され得るという問題は、タイムサーチの際にのみ発生する問題ではない。このことは、誤った時間などが指定された場合の様々な対策を促している。
【０００４】
引用文献１に係る入力表示方法は、指定された番地をランダムアクセスする機能を有する再生装置において、検索すべき目的番地を入力する入力装置と、情報トラック上の番地を読取る読取回路と、読取回路により読取られた番地と目的番地とを比較する比較回路と、入力された目的番地を表示する表示装置とを備え、目的番地を検索して目的番地と一致する番地が存在しない場合に、目的番地と目的番地に最も近い番地とを比較回路により比較して両者の異なる部分を表示装置に表示することを特徴とする。この発明によると、誤った項目を明示することにより、その修正を容易にすることができる。
【０００５】
特許文献２に係るビデオディスクは、演奏開始のとき再生針が最初にアクセスするリードイン区間に当該ビデオディスクに記録されたプログラムに関するデータを記録する。この発明によると、プレーヤ側におけるサーチなどの操作の適否を自動かつ瞬時的に判別することができる。
【０００６】
しかしながら、特許文献１に開示されたように、目的番地と目的番地に最も近い番地とを比較回路により比較して両者の異なる部分を表示装置に表示する場合、ユーザは最初から目的番地を入力し直さなければならない。特許文献２に開示されたように、リードイン区間にデータを記録する場合、ユーザがどのような時間を指定したか検出できないので、誤った時刻が入力されても、何ら対策を取ることができないという問題がある。
【特許文献１】特開昭５７−１３３５７７号公報
【特許文献２】特開昭５９−１０１０７９号公報
【発明の開示】
【発明が解決しようとする課題】
【０００７】
本発明は、上述の問題点を解決するためになされたものであって、その目的は、効率的に時間や計数値を受付けることができるＤＶＤ再生装置および数値受付け装置を提供することにある。
【課題を解決するための手段】
【０００８】
上記目的を達成するために、本発明のある局面にしたがうと、ＤＶＤ再生装置は、ＤＶＤディスクから、時間に対応する任意の情報および任意の情報が対応する時間の最大値を読取るための読取り手段と、読取り手段が読取った、時間の最大値を記憶するための記憶手段と、時間の指定値を受付けるための受付手段と、受付手段が時間の指定値を１桁分受付けるたびに、指定値が時間の最大値を上回るか否かを判断するための判断手段と、判断手段が指定値は時間の最大値を上回ると判断した場合、時間の指定値の１桁分が指定の禁止の対象である旨を、指定の禁止の対象である１桁分を白地に黒の点滅する文字とすることにより、出力するための第１の出力手段と、判断手段が指定値は時間の最大値を上回ると判断した場合、時間の指定値のうち判断手段が指定値は時間の最大値を上回ると判断する直前に受付けた１桁分を再度受付けるように、受付手段を制御するための第１の制御手段と、ＤＶＤディスクから、受付手段が受付けた時間の指定値に対応する情報を読取るように、読取り手段を制御するための第２の制御手段と、読取り手段が読取った情報を出力するための第２の出力手段とを含む。
【０００９】
すなわち、記憶手段は、読取り手段がＤＶＤディスクから読取った、時間の最大値を記憶する。受付手段は、時間の指定値を受付ける。判断手段は、受付手段が時間の指定値を１桁分受付けるたびに、指定値が時間の最大値を上回るか否かを判断する。第１の制御手段は、判断手段が指定値は時間の最大値を上回ると判断した場合、時間の指定値のうち判断手段が指定値は時間の最大値を上回ると判断する直前に受付けた１桁分を再度受付けるように、受付手段を制御する。これにより、受付手段が時間の指定値を受付けている間に、時間の指定値が時間の最大値を上回るか否か明確になる。時間の指定値が時間の最大値を上回るか否か明確になるので、受付手段が時間の指定値を受付け終わる前に、時間の最大値を上回ると判断する直前に受付けた１桁分を再度受付けることができる。その結果、効率的に時間の指定値を受付けることができるＤＶＤ再生装置を提供することができる。
【００１０】
本発明の他の局面にしたがうと、数値受付け装置は、予め任意の値を記憶するための記憶手段と、計数値の指定を受付けるための受付手段と、受付手段が計数値の指定を受付けている間に、受付手段が受付ける計数値が任意の値を上回るか否かを判断するための判断手段と、判断手段が計数値は任意の値を上回ると判断した場合、計数値のうち、少なくとも一部を再度受付けるように、受付手段を制御するための制御手段とを含む。
【００１１】
すなわち、記憶手段は、予め任意の値を記憶する。受付手段は、計数値の指定を受付ける。判断手段は、受付手段が計数値の指定を受付けている間に、受付手段が受付ける計数値が任意の値を上回るか否かを判断する。制御手段は、判断手段が計数値は任意の値を上回ると判断した場合、計数値のうち、少なくとも一部を再度受付けるように、受付手段を制御する。これにより、受付手段が計数値の指定を受付けている間に、計数値が予め記憶された任意の値を上回るか否か明確になる。計数値が予め記憶された任意の値を上回るか否か明確になるので、受付手段が計数値の指定をすべて受付ける前に、計数値の少なくとも一部を再度受付けることができる。その結果、効率的に計数値を受付けることができる数値受付け装置を提供することができる。
【００１２】
また、上述の判断手段は、受付手段が計数値の指定の一部を受付けるたびに、受付手段が受付ける計数値が任意の値を上回るか否かを判断するための手段を含むことが望ましい。制御手段は、計数値のうち、判断手段が計数値は任意の値を上回ると判断する直前に受付けた一部を再度受付けるように、受付手段を制御するための手段を含むことが望ましい。
【００１３】
また、上述の一部は、計数値の１桁分の一部であることが望ましい。
【００１４】
また、上述の計数値は、時間を表わす値を含むことが望ましい。
【００１５】
また、上述の数値受付け装置は、判断手段が計数値は任意の値を上回ると判断した場合、計数値の指定の一部が指定の禁止の対象である旨を出力するための第１の出力手段をさらに含むことが望ましい。
【００１６】
すなわち、第１の出力手段は、判断手段が計数値は任意の値を上回ると判断した場合、計数値の指定の一部が指定の禁止の対象である旨を出力する。これにより、計数値の指定の一部が指定の禁止の対象である場合、その旨が明確になる。受付手段が計数値の指定をすべて受付ける前にその旨が明確になるので、計数値の受付けがより効率的になる。その結果、より効率的に計数値を受付けることができる数値受付け装置を提供することができる。
【００１７】
また、上述の第１の出力手段は、指定の禁止の対象である一部を指定の禁止の対象である一部以外の一部とは異なる形態で出力することにより、指定の禁止の対象である旨を出力するための手段を含むことが望ましい。
【００１８】
また、上述の指定の禁止の対象である一部以外の一部とは異なる形態は、白地に黒の点滅する文字を含む形態であることが望ましい。
【００１９】
すなわち、第１の出力手段は、判断手段が計数値は任意の値を上回ると判断した場合、指定の禁止の対象である一部を白地に黒の点滅する文字を含む形態で出力することにより、計数値の指定の一部が指定の禁止の対象である旨を出力する。白い色は、出力された時の色が安定している。色が安定しているので、指定の禁止の対象である旨が見落とされることが少なくなる。さらに、白地に黒の文字が点滅しているので、指定の禁止の対象となる一部が明確になる。これにより、指定の禁止の対象である旨が特に明確になる。受付手段が計数値の指定をすべて受付ける前にその旨が特に明確になるので、計数値の受付けが特に効率的になる。その結果、特に効率的に計数値を受付けることができる数値受付け装置を提供することができる。
【発明の効果】
【００２０】
本発明に係るＤＶＤ再生装置および数値受付け装置は、効率的に時間や計数値を受付けることができる。
【発明を実施するための最良の形態】
【００２１】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２２】
図１の記録メディア再生装置付デジタルチューナ１は、複数種類のデジタル記録メディア再生装置を内蔵し、記録メディアから再生されたコンテンツなど供給される各種コンテンツを、装置外部に予め接続されたモニタ装置１２に映像信号または音声信号として視聴可能なように出力する装置である。本実施の形態において、記録メディア再生装置付デジタルチューナ１は、ＤＶＤ再生装置として動作する。
【００２３】
記録メディア再生装置付デジタルチューナ１は、ＤＶＤ（Digital Versatile Disc）読取部２、図示されないハードディスクを内蔵し、該ハードディスクにデジタル情報を記録するとともに該ハードディスクからデジタル情報のコンテンツを再生するためのＨＤ（Hard Disk）装置３、放送局から送信されるデジタル放送信号ＤＳを受信する外部のアンテナ１３を接続するチューナ４、ＯＳＤ（On Screen Display)５１を内蔵するデコーダ５、メモリ６、映像出力部７、音声出力部８、リモコン（リモートコントローラの略）受信部９、制御部１０、リモコン１１、外部からデジタル情報を供給するための外部装置１５を接続する外部Ｉ／Ｆ（Inter Face）１４を備える。
【００２４】
ＤＶＤ読取部２は光ディスク（本実施の形態の場合ＤＶＤディスク）に記録されたデジタルコンテンツの情報を読出す装置である。本実施の形態の場合、ＤＶＤディスクには、時間に対応する任意の情報（本実施の形態の場合、デジタルコンテンツの情報）が記録されている。また、このＤＶＤディスクには、その「任意の情報」が対応する時間の最大値も記録されている。ＤＶＤ読取部２は時間の最大値を表わす情報を読取る装置でもある。ＨＤ装置３は、ユーザ所望のデジタルコンテンツの信号をハードディスクに記録し、その記録したデジタルコンテンツの信号を読出す装置である。ここで、ハードディスクに記録される信号としては、たとえばＭＰＥＧ２（Motion Picture Experts Group 2）規格に準拠する映像ファイルやＭＰ３（MPEG-1 Audio Layer3）規格に準拠する音声ファイルなどが挙げられる。
【００２５】
チューナ４は、アンテナ１３を介して放送局から発信されるデジタル放送信号を入力すると、制御部１０により指定されるチャンネルの放送信号（デジタルコンテンツの信号）を抽出して出力する。
【００２６】
デコーダ５は、ＤＶＤ読取部２により再生されたデジタルコンテンツの信号、ＨＤ装置３がハードディスクから読出したデジタルコンテンツの信号、チューナ４が受信したデジタルコンテンツの信号および外部Ｉ／Ｆ１４を介して外部装置１５から入力したデジタルコンテンツの信号のうちのいずれかが制御部１０の切換制御により与えられると、与えられたそのデジタル信号を入力して復号（デコード）して出力する。デコーダ５が内蔵するＯＳＤ５１は制御部１０により与えられた情報に基づいて画像データを生成し、それをモニタ装置１２の画面に可視表示するために映像出力部７に対して出力する。
【００２７】
メモリ６には、チューナ４が受信可能な放送チャンネルが予めチャンネルスキャン（オートスキャン）して取得されて格納され、また、制御部１０の動作プログラムが格納される。メモリ６には、後述するタイムサーチのためのフラグやデータも格納されている。
【００２８】
音声出力部８は、デコーダ５が復号した音声信号をモニタ装置１２が出力可能な音声信号に変換してモニタ装置１２に対して出力する。リモコン受信部９は、赤外線を介してリモコン１１から発信される各種の指令信号を受信して、その指令信号を制御部１０に伝送する。制御部１０は、メモリ６に格納された動作プログラムに基づいて装置各部の制御を行なう。リモコン１１は、ユーザが各種の指令を入力するために操作される装置であり、該指令に対応する赤外線信号を発信する。
【００２９】
図２を参照して、リモコン１１には外部操作可能なように各種キーが設けられる。各種キーには、モニタ装置１２に表示するコンテンツを切換え指定するために操作される上キー１６および下キー１７、記録メディア再生装置付デジタルチューナ１の電源をＯＮ／ＯＦＦするための電源キー１８、デジタル放送信号の受信チャンネルを個別に選択して切換えるためのチャンネル番号指定のためのテンキー１９が含まれる。上キー１６と下キー１７とは、デジタル放送信号についての受信チャンネルをＵＰ/ＤＯＷＮ操作により順番に切換えるとともに、モニタ装置１２に出力するデジタルコンテンツを順次切換え指定するために操作される。
【００３０】
図３を参照して、記録メディア再生装置付デジタルチューナ１で実行されるプログラムは、時間の指定値に関し、以下のような制御構造を有する。
【００３１】
ステップ１００（以下、ステップをＳと略す。）にて、制御部１０は、映像出力部７を介して、モニタ装置１２にタイムサーチを受付ける旨を表示させる。リモコン１１はユーザが指定した時間の指定値を送信する。また、以下の説明において、ユーザが指定した時間の指定値のうち、「時」の値を「Ａ」、「分」の値のうち１０の位の値を「Ｂ」、「分」の値のうち１の位の値を「Ｃ」、「秒」の値のうち１０の位の値を「Ｄ」、「秒」の値のうち１の位の値を「Ｅ」とする。リモコン１１は、ユーザが指定した指定値「Ａ」をリモコン受信部９に送信する。リモコン受信部９は、受信により受付けた時間の指定値を制御部１０に出力する。制御部１０は、受信した値に基づき、映像出力部７を介して、モニタ装置１２に値「Ａ」が入力された旨を表示させる。なお、リモコン１１を介してリモコン受信部９が受付ける値は、時間以外の計数値であってもよい。ただし、本実施の形態では、リモコン受信部９は時間の指定値の入力を受付けることとする。
【００３２】
Ｓ１０２にて、制御部１０は、メモリ６から、ＤＶＤの再生時間の最大値のうち、「時」の値を読出す。この最大値は、予めメモリ６に記憶された値である。ＤＶＤ読取部２は、この値を予めＤＶＤディスクから読取っている。この値は、ＤＶＤ読取部２に装着されたＤＶＤの、再生時間の合計である。ＤＶＤの再生時間は任意に変更できる。その理由は、ユーザが任意の映像をＤＶＤに記憶させたり、任意の情報をＤＶＤから削除させたりすることができる点にある。このことは、メモリ６に記憶された最大値が任意の値と言えることを表わす。なお、以下の説明において、指定できる時間（本実施の形態において、ユーザはＤＶＤの再生時間の範囲内で時間を指定できる）の値のうち、「時」の値を「Ｖ」、「分」の値のうち１０の位の値を「Ｗ」、「分」の値のうち１の位の値を「Ｘ」、「秒」の値のうち１０の位の値を「Ｙ」、「秒」の値のうち１の位の値を「Ｚ」とする。「時」の値「Ｖ」が読出されると、制御部１０は、値「Ａ」が値「Ｖ」以下か否かを判断する。値「Ａ」が値「Ｖ」以下と判断した場合（Ｓ１０２にてＹＥＳ）、処理はＳ１０４へと移される。もしそうでないと（Ｓ１０２にてＮＯ）、処理はＳ１００へと移される。
【００３３】
Ｓ１０４にて、制御部１０は、値「Ａ」が値「Ｖ」と等しいか否かを判断する。値「Ａ」が値「Ｖ」と等しいと判断した場合（Ｓ１０４にてＹＥＳ）、処理はＳ１０６へと移される。もしそうでないと（Ｓ１０４にてＮＯ）、処理はＳ１０８へと移される。
【００３４】
Ｓ１０６にて、制御部１０は、フラグＦ（１）の値を「１」に設定する。制御部１０は、ＤＶＤ読取部２から「分」の値のうち１０の位の値「Ｗ」を読出す。Ｓ１０８にて、制御部１０は、フラグＦ（１）の値を「０」に設定する。併せて、制御部１０は、ＤＶＤ読取部２から値「Ｗ」を読出す。
【００３５】
Ｓ１１０にて、制御部１０は、映像出力部７を介して、モニタ装置１２に値「Ａ」を表示させる。リモコン１１は、ユーザが指定した、「分」の値のうち１０の位の値「Ｂ」を送信する。リモコン受信部９は、受信により受付けた値を制御部１０に出力する。制御部１０は、受信した値に基づき、映像出力部７を介して、モニタ装置１２に値「Ｂ」が入力された旨を表示させる。
【００３６】
Ｓ１１２にて、制御部１０は、『値「Ｂ」が「５」以下』で、『フラグＦ（１）が「０」』もしくは『値「Ｂ」が値「Ｗ」以下』か否かを判断する。『値「Ｂ」が「５」以下』で、『フラグＦ（１）が「０」』もしくは『値「Ｂ」が値「Ｗ」以下』と判断した場合（Ｓ１１２にてＹＥＳ）、処理はＳ１１４へと移される。もしそうでないと（Ｓ１１２にてＮＯ）、処理はＳ１１０へと移される。
【００３７】
Ｓ１１４にて、制御部１０は、『フラグＦ（１）が「１」』かつ『値「Ｂ」と値「Ｗ」が等しい』か否かを判断する。『フラグＦ（１）が「１」』かつ『値「Ｂ」と値「Ｗ」が等しい』と判断した場合（Ｓ１１４にてＹＥＳ）、処理はＳ１１６へと移される。もしそうでないと（Ｓ１１４にてＮＯ）、処理はＳ１１８へと移される。
【００３８】
Ｓ１１６にて、制御部１０は、フラグＦ（１）の値を「１」に設定する。制御部１０は、ＤＶＤ読取部２から「分」の値のうち１の位の値「Ｘ」を読出す。Ｓ１１８にて、制御部１０は、フラグＦ（１）の値を「０」に設定する。併せて制御部１０は、ＤＶＤ読取部２から「分」の値のうち１の位の値「Ｘ」を読出す。
【００３９】
Ｓ１２０にて、制御部１０は、映像出力部７を介して、モニタ装置１２に値「Ａ」〜値「Ｂ」を表示させる。リモコン１１は、ユーザが指定した、「分」の値のうち１の位の値「Ｃ」を送信する。リモコン受信部９は、受信により受付けた値を制御部１０に出力する。制御部１０は、受信した値に基づき、映像出力部７を介して、モニタ装置１２に値「Ｃ」が入力された旨を表示させる。
【００４０】
Ｓ１２２にて、制御部１０は、『フラグＦ（１）が「０」』もしくは『値「Ｃ」が値「Ｘ」以下』か否かを判断する。『フラグＦ（１）が「０」』もしくは『値「Ｃ」が値「Ｘ」以下』と判断した場合（Ｓ１２２にてＹＥＳ）、処理はＳ１２４へと移される。もしそうでないと（Ｓ１２２にてＮＯ）、処理はＳ１２０へと移される。
【００４１】
Ｓ１２４にて、制御部１０は、『フラグＦ（１）が「１」』かつ『値「Ｃ」と値「Ｘ」が等しい』か否かを判断する。『フラグＦ（１）が「１」』かつ『値「Ｃ」と値「Ｘ」が等しい』と判断した場合（Ｓ１２４にてＹＥＳ）、処理はＳ１２６へと移される。もしそうでないと（Ｓ１２４にてＮＯ）、処理はＳ１２８へと移される。
【００４２】
Ｓ１２６にて、制御部１０は、フラグＦ（１）の値を「１」に設定する。制御部１０は、ＤＶＤ読取部２から「秒」の値のうち１０の位の値「Ｙ」を読出す。Ｓ１２８にて、制御部１０は、フラグＦ（１）の値を「０」に設定する。併せて制御部１０は、ＤＶＤ読取部２から「秒」の値のうち１０の位の値「Ｙ」の値を読出す。
【００４３】
Ｓ１３０にて、制御部１０は、映像出力部７を介して、モニタ装置１２に値「Ａ」〜値「Ｃ」を表示させる。リモコン１１は、ユーザが指定した、「秒」の値のうち１０の位の値「Ｄ」を送信する。リモコン受信部９は、受信により受付けた値を制御部１０に出力する。制御部１０は、受信した値に基づき、映像出力部７を介して、モニタ装置１２に値「Ｄ」が入力された旨を表示させる。
【００４４】
Ｓ１３２にて、制御部１０は『値「Ｄ」が「５」以下』で、『フラグＦ（１）が「０」』もしくは『値「Ｄ」が値「Ｙ」以下』か否かを判断する。『値「Ｄ」が「５」以下』で『フラグＦ（１）が「１」』もしくは『値「Ｄ」が値「Ｙ」以下』と判断した場合（Ｓ１３２にてＹＥＳ）、処理はＳ１３４へと移される。もしそうでないと（Ｓ１３２にてＮＯ）、処理はＳ１３０へと移される。
【００４５】
Ｓ１３４にて、制御部１０は『フラグＦ（１）が「１」』かつ『値「Ｄ」と値「Ｙ」が等しい』か否かを判断する。『フラグＦ（１）が「１」』かつ『値「Ｄ」と値「Ｙ」が等しい』と判断した場合（Ｓ１３４にてＹＥＳ）、処理はＳ１３６へと移される。もしそうでないと（Ｓ１３４にてＮＯ）、処理はＳ１３８へと移される。
【００４６】
Ｓ１３６にて、制御部１０は、ＤＶＤ読取部２から「秒」の値のうち１の位の値「Ｚ」を読出す。Ｓ１３８にて、制御部１０は、映像出力部７を介して、モニタ装置１２に値「Ａ」〜値「Ｄ」を表示させる。リモコン１１は、ユーザが指定した、「秒」の値のうち１の位の値「Ｅ」を送信する。リモコン受信部９は、受信した値を制御部１０に出力する。制御部１０は、受信した値に基づき、映像出力部７を介して、モニタ装置１２に値「Ｅ」が入力された旨を表示させる。
【００４７】
Ｓ１４０にて、制御部１０は、『フラグＦ（１）が「０」』もしくは『値「Ｅ」が値「Ｚ」以下』か否かを判断する。『フラグＦ（１）が「０」』もしくは『値「Ｅ」が値「Ｚ」以下』と判断した場合には（Ｓ１４０にてＹＥＳ）、処理は終了する。もしそうでないと（Ｓ１４０にてＮＯ）、処理はＳ１３８へと移される。
【００４８】
以上のような構造およびフローチャートに基づく、記録メディア再生装置付デジタルチューナ１の動作について説明する。なお、以下の説明において、ＤＶＤに記録されたコンテンツの再生時間の合計は１時間５３分２３秒であることとする。また、ユーザはタイムサーチにあたり、時間の指定値として「１時間５３分２０秒」と指定することとする。
【００４９】
制御部１０は、映像出力部７を介して、モニタ装置１２にタイムサーチを受付ける旨を表示させる。図４は、このときのモニタ装置１２の映像を示す。リモコン１１は、ユーザが指定した、「時」の位の値「Ａ」を送信する。リモコン受信部９は、受信により受付けた値を制御部１０に出力する（Ｓ１００）。このときユーザがリモコン１１に入力した値は「２」なので、制御部１０は、映像出力部７を介して、モニタ装置１２に「２」が入力された旨を表示させる。図５は、このときモニタ装置１２に表示される映像を表わす。値が出力されると、制御部１０は、値「Ａ」が値「Ｖ」以下か否かを判断する（Ｓ１０２）。すなわち、リモコン受信部９がリモコン１１を介して時間の指定値を受付けている間に（時間の指定値の１桁分の一部を受付けるたびに）、制御部１０は、リモコン受信部９が受付ける「指定値」がＤＶＤの再生時間の最大値を上回るか否かを判断する。値「Ａ」は「２」で、値「Ｖ」が「１」なので（Ｓ１０２にてＮＯ）、制御部１０は、映像出力部７を介して、再度モニタ装置１２にタイムサーチを受付ける旨を表示させる。すなわち、制御部１０は、時間の指定値のうち、自らが時間の指定値はＤＶＤの再生時間の最大値を上回ると判断する直前に受付けた一部（本実施の形態の場合、時間の指定値の１桁分の一部）を再度受付けるように、リモコン受信部９を制御する。これにより、モニタ装置１２の映像が「２」の入力前の状態（図４の状態）に戻る。本実施の形態の場合、モニタ装置１２の映像が「２」の入力前の状態に戻ることで、「２」の入力が禁止された旨が表わされる。入力が禁止された旨が表わされると、リモコン１１は再度ユーザが指定した、値「Ａ」を送信する（Ｓ１００）。このときユーザがリモコン１１に入力した値は「１」なので、制御部１０は、映像出力部７を介して、モニタ装置１２に「１」が入力された旨を表示させる。図６は、このときモニタ装置１２に表示される映像を表わす。値が出力されると、制御部１０は、値「Ａ」が値「Ｖ」と等しいか否かを判断する（Ｓ１０４）。この場合、値「Ａ」が値「Ｖ」と等しいので（Ｓ１０４にてＹＥＳ）、制御部１０は、フラグＦ（１）の値を「１」に設定する。併せて制御部１０は、ＤＶＤ読取部２から「分」の値のうち１０の位の値「Ｗ」を読出す（Ｓ１０６）。本実施の形態の場合、値「Ｗ」の値は「５」である。値「Ｗ」が読出されると、制御部１０は、映像出力部７を介して、モニタ装置１２に値「Ａ」を表示させる。リモコン１１は、ユーザが指定した、「分」の値のうち１０の位の値「Ｂ」を送信する（Ｓ１１０）。このときユーザがリモコン１１に入力した値は「６」なので、制御部１０は、映像出力部７を介して、モニタ装置１２に「６」が入力された旨を表示させる。図７は、このときモニタ装置１２に表示される映像を表わす。入力が受付けられると、制御部１０は、『値「Ｂ」が「５」以下』で、『フラグＦ（１）が「０」』もしくは『値「Ｂ」が値「Ｗ」以下』か否かを判断する（Ｓ１１２）。すなわち、リモコン受信部９がリモコン１１を介して時間の指定値を受付けている間に、制御部１０は、リモコン受信部９が受付ける「指定値」がＤＶＤの再生時間の最大値を上回るか否かを判断する。このとき値「Ｂ」が「６」なので（Ｓ１１２にてＮＯ）、制御部１０は、映像出力部７を介して、再度モニタ装置１２に値「Ａ」を表示させる。これにより、モニタ装置１２の映像が「６」の入力前の状態（図６の状態）に戻る。本実施の形態の場合、モニタ装置１２の映像が「６」の入力前の状態に戻ることで、「６」の入力が禁止された旨が表わされる。入力が禁止された旨が表わされると、リモコン１１は、再びユーザが指定した、値「Ｂ」を送信する（Ｓ１１０）。このときユーザがリモコン１１に入力した値は「５」なので、制御部１０は、映像出力部７を介して、モニタ装置１２に「５」が入力された旨を表示させる。図８は、このときモニタ装置１２に表示される映像を表わす。入力が受付けられると、制御部１０は、『値「Ｂ」が「５」以下』で、『フラグＦ（１）が「０」』もしくは『値「Ｂ」が値「Ｗ」以下』か否かを判断する（Ｓ１１２）。このとき『値「Ｂ」が「５」以下』で『値「Ｂ」が値「Ｗ」以下』なので（Ｓ１１２にてＹＥＳ）、制御部１０は、『フラグＦ（１）が「１」』かつ『値「Ｂ」と値「Ｗ」が等しい』か否かを判断する（Ｓ１１４）。この場合『フラグＦ（１）が「１」』かつ『値「Ｂ」と値「Ｗ」が等しい』ので（Ｓ１１４にてＹＥＳ）、制御部１０は、フラグＦ（１）の値を「１」に設定する。併せて制御部１０は、ＤＶＤ読取部２から「分」の値のうち１の位の値「Ｘ」を読出す（Ｓ１１６）。本実施の形態の場合、値「Ｘ」は「３」である。値「Ｘ」が読出されると、制御部１０は、映像出力部７を介して、モニタ装置１２に値「Ａ」〜値「Ｂ」を表示させる。リモコン１１は、ユーザが指定した、「分」の値のうち１の位の値「Ｃ」を送信する（Ｓ１２０）。このときユーザがリモコン１１に入力した値は「３」なので、制御部１０は、映像出力部７を介して、モニタ装置１２に「３」が入力された旨を表示させる。図９は、このときモニタ装置１２に表示される映像を表わす。入力が受付けられると、制御部１０は、『フラグＦ（１）が「０」』もしくは『値「Ｃ」が値「Ｘ」以下』か否かを判断する（Ｓ１２２）。すなわち、リモコン受信部９がリモコン１１を介して時間の指定値を受付けている間に、制御部１０は、リモコン受信部９が受付ける「指定値」がＤＶＤの再生時間の最大値を上回るか否かを判断する。このとき『値「Ｃ」が値「Ｘ」以下』なので（Ｓ１２２にてＹＥＳ）、制御部１０は『フラグＦ（１）が「１」』かつ『値「Ｃ」と値「Ｘ」が等しい』か否かを判断する（Ｓ１２４）。この場合、『フラグＦ（１）が「１」』かつ『値「Ｃ」と値「Ｘ」が等しい』ので（Ｓ１２４にてＹＥＳ）、制御部１０はフラグＦ（１）の値を「１」に設定する。併せて制御部１０は、ＤＶＤ読取部２から「秒」の値のうち１０の位の値「Ｙ」を読出す（Ｓ１２６）。本実施の形態の場合、値「Ｙ」は「２」である。値が読出されると、制御部１０は、映像出力部７を介して、モニタ装置１２に値「Ａ」〜値「Ｃ」を表示させる。値「Ａ」〜値「Ｃ」が表示されると、リモコン１１は、ユーザが指定した、「秒」の値のうち１０の位の値「Ｄ」を送信する（Ｓ１３０）。このときユーザがリモコン１１に入力した値は「２」なので、制御部１０は、映像出力部７を介して、モニタ装置１２に「２」が入力された旨を表示させる。図１０は、このときモニタ装置１２に表示される映像を表わす。入力が受付けられると、制御部１０は、『値「Ｄ」が「５」以下』で、『フラグＦ（１）が「０」』もしくは『値「Ｄ」が値「Ｙ」以下』か否かを判断する（Ｓ１３２）。すなわち、リモコン受信部９がリモコン１１を介して時間の指定値を受付けている間に、制御部１０は、リモコン受信部９が受付ける「指定値」がＤＶＤの再生時間の最大値を上回るか否かを判断する。この場合、値「Ｄ」が「２」なので（Ｓ１３２にてＹＥＳ）、制御部１０は『フラグＦ（１）が「１」』かつ『値「Ｄ」と値「Ｙ」が等しい』か否かを判断する（Ｓ１３４）。この場合『フラグＦ（１）が「１」』かつ『値「Ｄ」と値「Ｙ」が等しい』ので（Ｓ１３４にてＹＥＳ）、制御部１０はＤＶＤ読取部２から「秒」の値のうち１の位の値「Ｚ」を読出す（Ｓ１３６）。本実施の形態の場合、値「Ｚ」は「３」である。値が読出されると、制御部１０は、映像出力部７を介して、モニタ装置１２に値「Ａ」〜値「Ｄ」を表示させる。リモコン１１は、ユーザが指定した、「秒」の値のうち１の位の値「Ｅ」を送信する（Ｓ１３８）。このときユーザがリモコン１１に入力した値は「５」なので、制御部１０は、映像出力部７を介して、モニタ装置１２に「５」が入力された旨を表示させる。図１１は、このときモニタ装置１２に表示される映像を表わす。入力が受付けられると、制御部１０は『フラグＦ（１）が「０」』もしくは『値「Ｅ」が値「Ｚ」以下』か否かを判断する（Ｓ１４０）。すなわち、リモコン受信部９がリモコン１１を介して時間の指定値を受付けている間に、制御部１０は、リモコン受信部９が受付ける「指定値」がＤＶＤの再生時間の最大値を上回るか否かを判断する。この場合『フラグＦ（１）が「１」』で値「Ｅ」が値「Ｚ」を上回るので（Ｓ１４０にてＮＯ）、制御部１０は、映像出力部７を介して、再度モニタ装置１２に値「Ａ」〜値「Ｄ」を表示させる。これにより、モニタ装置１２の映像が「５」の入力前の状態（図１０の状態）に戻る。本実施の形態の場合、モニタ装置１２の映像が「５」の入力前の状態に戻ることで、「５」の入力が禁止された旨が表わされる。入力が禁止された旨が表わされると、リモコン１１は、再度ユーザが指定した、「秒」の値のうち１の位の値「Ｅ」を送信する（Ｓ１３８）。このときユーザがリモコン１１に入力した値は「０」なので、制御部１０は、映像出力部７を介して、モニタ装置１２に「０」が入力された旨を表示させる。入力が受付けられると、制御部１０は『フラグＦ（１）が「０」』もしくは『値「Ｅ」が値「Ｚ」以下』か否かを判断する（Ｓ１４０）。この値「Ｅ」が値「Ｚ」以下なので（Ｓ１４０にてＹＥＳ）、時間を入力する処理は終了する。時間を入力する処理が終了すると、制御部１０は、一定時間（記録メディア再生装置付デジタルチューナ１の設計者が任意に設定した時間のこと。本実施の形態の場合１秒とする。）が経過するのを待つ。一定時間が経過すると、制御部１０は映像出力部７を介してモニタ装置１２にタイムサーチを受付けた旨を表示させる。図１２は、このときのモニタ装置１２の映像を表わす図である。
【００５０】
時間の指定値が確定すると、制御部１０は、ＤＶＤディスクから、リモコン受信部９が受付けた時間の指定値に対応する情報を読取るように、ＤＶＤ読取部２を制御する。そのために、制御部１０はＤＶＤ読取部２に信号を出力する。信号を受付けたＤＶＤ読取部２は、読取ったデータをデコーダ５に出力する。デコーダ５は、ＤＶＤ読取部２が読取った情報を映像出力部７を介してモニタ装置１２に出力する。
【００５１】
以上のようにして、本実施の形態に係る記録メディア再生装置付デジタルチューナは、タイムサーチを行なうとき、サーチ範囲（再生時間の合計）外の時間の指定値をはじくことができる。従来の機器でタイムサーチを実施する際、サーチ範囲外の時間を指定できた。このことは、時間の指定値のやり直しを招いた。本実施の形態に係る記録メディア再生装置付デジタルチューナの場合、サーチ範囲外の時間の指定値がはじかれるので、時間を再度指定する手間を省くことができる。再度の指定の手間が省かれるので、時間の指定値を効率化することができる。その結果、時間の指定値を円滑化し、かつ効率化することができるＤＶＤ再生装置および数値受付け装置を提供することができる。また、効率のよいタイムサーチを実施することができる。
【００５２】
なお、Ｓ１００、Ｓ１１０、Ｓ１２０、Ｓ１３０、およびＳ１３８にて、入力が禁止された旨が表わされる際、制御部１０は積極的にその旨を表示させてもよい。この場合、ＯＳＤ５１および映像出力部７が、時間の指定値の一部が指定の禁止の対象である旨を出力する装置となる。図１３は、ＯＳＤ５１および映像出力部７により、入力が禁止された旨が積極的に表示された場合のモニタ装置１２の映像を示す。さらに、ＯＳＤ５１および映像出力部７は入力が禁止された旨をその理由とともに表示させてもよい。図１４は入力が禁止された旨がその理由とともに表示された場合のモニタ装置１２の映像を示す。
【００５３】
また、Ｓ１００、Ｓ１１０、Ｓ１２０、Ｓ１３０、およびＳ１３８にて、入力が禁止された旨が表わされる際、制御部１０は入力があってもモニタ装置の１２の映像に何ら変化がないように制御してもよい。この場合、Ｓ１１０にてリモコン１１が「６」の入力を受付けても、図７のように表示されることがない。モニタ装置の１２の映像は図６の状態のままである。リモコン１１が「５」の入力を受付けると、モニタ装置の１２の映像は図８のように変化する。
【００５４】
また、Ｓ１００、Ｓ１１０、Ｓ１２０、Ｓ１３０、およびＳ１３８にて、入力が禁止された旨が表わされる際、ＯＳＤ５１および映像出力部７は、時間の指定値の禁止の対象である一部をそれ以外の一部とは異なる形態で出力することにより、指定の禁止の対象である旨を出力させてもよい。そのように出力するために、ＯＳＤ５１および映像出力部７は、文字を反転表示させてもよい。この場合、Ｓ１１０（Ｓ１００、Ｓ１２０、Ｓ１３０、およびＳ１３８において同様の制御を実施してよいことは言うまでもない）にてリモコン１１が「６」の入力を受付けると、「６」の文字が白地に黒く表示されることとなる。すなわち、ＯＳＤ５１および映像出力部７は、制御部１０が時間の指定地は再生時間の最大値を上回ると判断した場合、時間の指定値の１桁分が指定の禁止の対象である旨を、指定の禁止の対象である１桁分を白地に黒の点滅する文字とすることにより出力することとなる。図１５に、この場合のモニタ装置１２の映像を示す。この場合、モニタ装置の１２の映像はその状態を継続する。ただし、任意の時間が経過した後に図６の状態に戻ってもよい。リモコン１１が「５」の入力を受付けると、モニタ装置の１２の映像は図８のように変化する。文字が白地に黒く表示される場合、その文字は任意の時間点滅した後図６の状態に戻ってもよい。このように表示することで、ユーザは入力を誤ったことを容易に知ることができる。文字を白地に表示させることで、モニタ装置の機種に依存することなく白い色を表示させることができる。その上、文字が鮮明に表示される。
【００５５】
また、記録メディア再生装置付デジタルチューナ１は、ハードディスクレコーダやビデオデッキなどとして動作してもよい。
【００５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５７】
【図１】本発明の実施の形態に係る記録メディア再生装置付デジタルチューナの全体構成図である。
【図２】本発明の実施の形態に係るリモコンの外観図である。
【図３】本発明の実施の形態に係る時間の指定値処理の制御手順を示すフローチャートである。
【図４】本発明の実施の形態に係るモニタ装置の表示内容を表わす図（その１）である。
【図５】本発明の実施の形態に係るモニタ装置の表示内容を表わす図（その２）である。
【図６】本発明の実施の形態に係るモニタ装置の表示内容を表わす図（その３）である。
【図７】本発明の実施の形態に係るモニタ装置の表示内容を表わす図（その４）である。
【図８】本発明の実施の形態に係るモニタ装置の表示内容を表わす図（その５）である。
【図９】本発明の実施の形態に係るモニタ装置の表示内容を表わす図（その６）である。
【図１０】本発明の実施の形態に係るモニタ装置の表示内容を表わす図（その７）である。
【図１１】本発明の実施の形態に係るモニタ装置の表示内容を表わす図（その８）である。
【図１２】本発明の実施の形態に係るモニタ装置の表示内容を表わす図（その９）である。
【図１３】本発明の実施の形態の変形例に係るモニタ装置の入力が禁止された旨が積極的に表示された場合の映像を表わす図である。
【図１４】本発明の実施の形態の変形例に係るモニタ装置の入力が禁止された旨がその理由とともに表示された場合の映像を表わす図である。
【図１５】本発明の実施の形態の変形例に係るモニタ装置において、指定の禁止の対象となった部分を白地に黒の点滅する文字とした場合の映像を表わす図である。
【符号の説明】
【００５８】
１  記録メディア再生装置付デジタルチューナ、２  ＤＶＤ読取部、３  ＨＤ装置、４  チューナ、５  デコーダ、６  メモリ、７  映像出力部、８  音声出力部、９  リモコン受信部、１０  制御部、１１  リモコン、１３  アンテナ、１４  外部Ｉ／Ｆ、１５  外部装置、１６  上キー、１７  下キー、１８  電源キー、１９  テンキー、５１  ＯＳＤ。
【図１】
2006004542.tif 000003
【図２】
2006004542.tif 000004
【図３】
2006004542.tif 000005
【図４】
2006004542.tif 000006
【図５】
2006004542.tif 000007
【図６】
2006004542.tif 000008
【図７】
2006004542.tif 000009
【図８】
2006004542.tif 000010
【図９】
2006004542.tif 000011
【図１０】
2006004542.tif 000012
【図１１】
2006004542.tif 000013
【図１２】
2006004542.tif 000014
【図１３】
2006004542.tif 000015
【図１４】
2006004542.tif 000016
【図１５】
2006004542.tif 000017